(57)【要約】【課題】利便性の高い無線アンテナを備える半導体記憶装置を提供する。【解決手段】実施形態の半導体記憶装置は、ホスト装置と接続可能な接続部と、前記ホスト装置から前記接続部経由で供給される電力に基づいて動作する不揮発性半導体メモリと、前記ホスト装置から前記接続部経由で供給される電力に基づいて動作し前記不揮発性半導体メモリを制御する第１のコントローラと、無線通信ホスト装置からの電波に基づいて電力を発生させる無線アンテナと、前記無線アンテナに発生する電力に基づいて動作可能な記憶部と、前記無線アンテナに発生する電力に基づいて動作可能な第２のコントローラと、を備える。【選択図】図１
2018067355.tif 000002
【特許請求の範囲】
【請求項１】
ホスト装置と接続可能な接続部と、
前記ホスト装置から前記接続部経由で供給される電力に基づいて動作する不揮発性半導
体メモリと、
前記ホスト装置から前記接続部経由で供給される電力に基づいて動作し、前記不揮発性
半導体メモリを制御するように構成された第１のコントローラと、
無線通信ホスト装置からの電波に基づいて電力を発生させる無線アンテナと、
前記無線アンテナに発生する電力に基づいて動作可能な記憶部と、
前記無線アンテナに発生する電力に基づいて動作可能な第２のコントローラと、
を具備し、
前記第１のコントローラは、前記接続部経由で受信した書き込み指示に対して前記書き
込み指示で指定された第１のデータを前記不揮発性半導体メモリへ書き込み、前記第１の
データに対応する第２のデータを記憶部へ書き込み、
前記ホスト装置と接続されていない場合に、前記第２のコントローラは、前記無線通信
ホスト装置から前記無線アンテナ経由で前記第２のデータに対する読み出し指示を受信し
た場合、前記記憶部から前記第２のデータを読み出し、前記無線アンテナを用いて前記読
み出した第２のデータを前記無線通信ホスト装置へ送信し、
前記ホスト装置と接続されている場合に、前記第１のコントローラは、前記ホスト装置
から前記接続部経由で受信した前記第１のデータの読み出し指示に対して、セキュリティ
が解除されている場合前記第１のデータを読み出し、前記読み出した第１のデータを前記
接続部経由で前記ホスト装置へ送信し、前記セキュリティが解除されていない場合セキュ
リティがロックされていることを示す応答を前記接続部経由で前記ホスト装置へ送信する
半導体記憶装置。
【請求項２】
前記第１のコントローラは、受信した前記第１のデータの読み出し指示に対して、前記
記憶部に保存されているセキュリティフラグを読み出すことにより前記セキュリティが解
除されているか判断する請求項１に記載の半導体記憶装置。
【請求項３】
前記ホスト装置と接続されている場合に、前記第２のコントローラは、前記無線通信ホ
スト装置から前記無線アンテナ経由で前記不揮発性半導体メモリに書き込まれている第３
のデータに対する読み出し指示に対して、前記無線アンテナを用いて前記第３のデータを
前記無線通信ホスト装置へ送信する請求項１又は請求項２に記載の半導体記憶装置。
【請求項４】
前記第２のコントローラは、前記無線通信ホスト装置と近距離無線通信規格にそった通
信を行う、請求項１乃至請求項３の何れか１項に記載の半導体記憶装置。
【請求項５】
前記第２のコントローラは、前記無線アンテナ経由で受信した第４のデータに対する書
き込み指示に対して前記第４のデータを前記記憶部に書き込む請求項１乃至請求項４の何
れか１項に記載の半導体記憶装置。
【請求項６】
前記第２のコントローラは、前記無線アンテナに電気的に接続されている電圧検波器を
具備し、前記電圧検波器の検出結果に基づいて、前記無線アンテナを用いて前記読み出し
た第２のデータを送信する、請求項１乃至請求項５の何れか１項に記載の半導体記憶装置
。
【請求項７】
前記電圧検波器は、前記無線アンテナと電気的に接続されており、前記無線アンテナか
ら前記第２のコントローラに供給される電圧を監視する、請求項６に記載の半導体記憶装
置。
【請求項８】
前記第２のデータは、前記不揮発性半導体メモリに書き込まれている前記第１のデータ
のうちの一部、前記第１のデータの管理情報、前記不揮発性半導体メモリのメモリ容量、
前記不揮発性半導体メモリの残り容量、前記第１のデータのファイル名、前記第１のデー
タの生成時間データ、前記第１のデータに関するメモデータ、のうちの少なくとも１つを
含む、請求項１乃至請求項７の何れか１項に記載の半導体記憶装置。
【請求項９】
前記第２のコントローラは、前記無線アンテナを用いて指示データ及び前記指示データ
に対する書き込み指示を受けた場合に、前記指示データを前記記憶部に書き込み、
前記第１のコントローラは、前記第１のホスト装置から前記接続部経由で受けた前記第
１のデータの中から、前記指示データで指示された前記第２のデータを選択し、前記選択
した第２のデータを前記記憶部へ書き込む、
請求項１乃至請求項８の何れか１項に記載の半導体記憶装置。
【請求項１０】
前記第１のデータは、画像データであり、
前記第２のデータは、前記画像データのサムネイルデータ、撮影場所、撮影時間、ファ
イル名のうちの少なくとも１つを含む、
請求項１乃至請求項９の何れか１項に記載の半導体記憶装置。
【請求項１１】
前記第１のデータは、画像データであり、
前記第２のデータは、前記画像データに対応する時間データを含み、
前記第２のコントローラは、前記無線通信ホスト装置から受信した要求に対して前記時
間データを送信し、
前記無線通信ホスト装置は、時間と前記時間に対応する位置データを保存し、前記時間
のうち前記送信された時間データの示す時間に最も近い時間に対応する位置データを表示
する請求項１乃至請求項９の何れか１項に記載の半導体記憶装置。
【請求項１２】
前記ホスト装置と接続されている場合に、前記第１のコントローラは、前記ホスト装置
から前記接続部経由で受信した前記第１のデータが指定された前記書き込み指示に対して
、前記記憶部のデータがプロテクトされていないと判断した場合に前記第２のデータを前
記記憶部へ書き込み、前記記憶部のデータがプロテクトされていると判断した場合に前記
第２のデータを前記記憶部へ書き込まない、請求項１乃至請求項１０の何れか１項に記載
の半導体記憶装置。
【請求項１３】
前記第１のコントローラは、前記記憶部のデータをプロテクトする旨の指示データが前
記記憶部に書き込まれている場合に、前記記憶部のデータがプロテクトされていると判断
する、請求項１２の半導体記憶装置。
【請求項１４】
前記第１のコントローラは、前記無線通信ホスト装置から前記無線アンテナ経由で前記
記憶部のデータをプロテクトする旨の指示を受信した場合、前記記憶部のデータをプロテ
クトする旨の指示データを前記記憶部に書き込む、請求項１３の半導体記憶装置。
【請求項１５】
前記ホスト装置と接続されている場合に、前記第１のコントローラは、前記ホスト装置
から前記接続部経由で前記第１のデータの読み出し指示を受信した場合に、前記第１のデ
ータを読み出し、前記読み出した第１のデータを前記接続部経由で前記ホスト装置へ送信
し、前記ホスト装置から前記接続部経由で前記送信した第１のデータに対応するアクセス
先データを受信した場合に前記第１のコントローラは前記記憶部へ前記受信したアクセス
先データを記憶し、
前記第２のコントローラは、前記無線通信ホスト装置から前記アクセス先データの読み
出し指示を受信した場合、前記記憶部から前記アクセス先データを読み出し、前記無線ア
ンテナを用いて前記読み出したアクセス先データを前記無線通信ホスト装置へ送信する、
請求項１乃至請求項１４の何れか１項に記載の半導体記憶装置。
【請求項１６】
前記記憶部は、設定データを記憶し、
前記第２のコントローラは、前記無線アンテナ経由で前記無線通信ホスト装置から受信
した前記設定データの読み出し指示に対して、前記無線アンテナ経由で前記設定データを
前記無線通信ホスト装置へ送信し、
前記無線通信
ホスト装置は、前記送信された設定データに基づいて無線ＬＡＮ（Local Area Network）
通信を行う、
請求項１乃至請求項１５の何れか１項に記載の半導体記憶装置。
【請求項１７】
前記第２のコントローラは、前記無線通信ホスト装置から前記無線アンテナ経由でセキ
ュリティ解除指示を受信した場合に前記セキュリティを解除する請求項１乃至請求項１６
の何れか１項に記載の半導体記憶装置。
【請求項１８】
前記第２のコントローラは、前記セキュリティを解除する場合に前記セキュリティが解
除されたことを示す応答を前記無線通信ホスト装置へ返送する請求項１７に記載の半導体
記憶装置。
【請求項１９】
前記第２のコントローラは、前記セキュリティを解除する場合に前記記憶部に保存され
ているセキュリティフラグを変更する請求項１７または請求項１８に記載の半導体記憶装
置。
【請求項２０】
前記第１のコントローラと前記第２のコントローラは、１つのコントローラで実現され
る請求項１乃至請求項１９の何れか１項に記載の半導体記憶装置。
【発明の詳細な説明】
【技術分野】
【０００１】
本発明の実施形態は、半導体記憶装置に関する。
【背景技術】
【０００２】
記憶装置の一例として、例えばＳＤメモリカードのようなメモリカードがある。
【０００３】
一般的に、メモリカードは、例えばデジタルスティールカメラ（ＤＳＣ：Digital  Sti
ll  Camera）などのようなホスト装置から電力の供給を受ける。このホスト装置から供給
された電力により、メモリカードは、ホスト機器に対するデータの送受信が可能であり、
不揮発性半導体メモリに対するデータの書き込み及び読み出しを行う。
【０００４】
ユーザがメモリカードに書き込まれたデータを確認するためには、メモリカードをホス
ト装置に装着する必要がある。
【０００５】
近年、撮影された画像データをＰＣなどのバックアップ先に保存することなく、メモリ
カードを多数購入し、メモリカードでデータを保存するユーザが増加している。このよう
に、利用されるメモリカードの数が多くなると、ユーザがどのメモリカードの中にどのよ
うなデータを書き込んだか把握することが困難になる。ユーザは、多数のメモリカードを
順にホスト装置に装着し、メモリカードからデータを読み出すことで、それぞれのメモリ
カードに書き込まれたデータを確認する必要がある。
【先行技術文献】
【特許文献】
【０００６】
【特許文献１】米国特許第７９２１１８３号明細書
【発明の概要】
【発明が解決しようとする課題】
【０００７】
本実施形態は、利便性の高い無線アンテナを備える半導体記憶装置を提供する。
【課題を解決するための手段】
【０００８】
上記課題を達成するために、実施形態の半導体記憶装置は、ホスト装置と接続可能な接
続部と、前記ホスト装置から前記接続部経由で供給される電力に基づいて動作する不揮発
性半導体メモリと、前記ホスト装置から前記接続部経由で供給される電力に基づいて動作
し、前記不揮発性半導体メモリを制御するように構成された第１のコントローラと、無線
通信ホスト装置からの電波に基づいて電力を発生させる無線アンテナと、前記無線アンテ
ナに発生する電力に基づいて動作可能な記憶部と、前記無線アンテナに発生する電力に基
づいて動作可能な第２のコントローラと、を備える。前記第１のコントローラは、前記接
続部経由で受信した書き込み指示に対して前記書き込み指示で指定された第１のデータを
前記不揮発性半導体メモリへ書き込み、前記第１のデータに対応する第２のデータを記憶
部へ書き込む。前記ホスト装置と接続されていない場合に、前記第２のコントローラは、
前記無線通信ホスト装置から前記無線アンテナ経由で前記第２のデータに対する読み出し
指示を受信した場合、前記記憶部から前記第２のデータを読み出し、前記無線アンテナを
用いて前記読み出した第２のデータを前記無線通信ホスト装置へ送信する。前記ホスト装
置と接続されている場合に、前記第１のコントローラは、前記ホスト装置から前記接続部
経由で受信した前記第１のデータの読み出し指示に対して、セキュリティが解除されてい
る場合前記第１のデータを読み出し、前記読み出した第１のデータを前記接続部経由で前
記ホスト装置へ送信し、前記セキュリティが解除されていない場合セキュリティがロック
されていることを示す応答を前記接続部経由で前記ホスト装置へ送信する。
【図面の簡単な説明】
【０００９】
【図１】第１の実施形態に係る記憶装置の構成を例示するブロック図。
【図２】データがメモリコントローラによって自動的に記憶部に書き込まれる動作を例示するブロック図。
【図３】データがメモリコントローラによって自動的に記憶部に書き込まれる動作を例示するフローチャート。
【図４】データがＮＦＣコントローラによって自動的に記憶部に書き込まれる動作を例示するブロック図。
【図５】データがＮＦＣコントローラによって自動的に記憶部に書き込まれる動作を例示するフローチャート。
【図６】記憶装置の不揮発性半導体メモリからデータを読み出す動作を例示するブロック図。
【図７】記憶装置の不揮発性半導体メモリからデータを読み出す動作を例示するフローチャート。
【図８】無線通信ホスト装置が記憶部からデータを読み出す動作を例示するブロック図。
【図９】無線通信ホスト装置が記憶部からデータを読み出す動作を例示するフローチャート。
【図１０】記憶装置が無線通信ホスト装置からのデータを記憶部に書き込む動作を例示するブロック図。
【図１１】記憶装置が無線通信ホスト装置からのデータを記憶部に書き込む動作を例示するフローチャート。
【図１２】ＮＦＣコントローラが記憶部に書き込まれているデータをプロテクトするか否か判断する動作を例示するブロック図。
【図１３】ＮＦＣコントローラが記憶部に書き込まれているデータをプロテクトするか否か判断する動作を例示するフローチャート。
【図１４】第２の実施形態に係るメモリカードの概略構成を例示するブロック図。
【図１５】第２の実施形態に係るメモリカードの第１の適用例を示す図。
【図１６】第２の実施形態に係るメモリカードの第２の適用例を示す図。
【図１７】第２の実施形態に係るメモリカードの第３の適用例を示すフローチャート。
【図１８】第２の実施形態に係るメモリカードの第３の適用例を示すブロック図。
【図１９】第２の実施形態に係るメモリカードの第４の適用例を示すフローチャート。
【図２０】第２の実施形態に係るメモリカードの第５の適用例を示すフローチャート。
【図２１】第２の実施形態に係るメモリカードの第５の適用例を示すブロック図。
【図２２】第２の実施形態に係るメモリカードの第６の適用例を示す図。
【図２３】第２の実施形態に係るメモリカードの第７の適用例を示すフローチャート。
【図２４】第２の実施形態に係るメモリカードの第７の適用例を示すブロック図。
【図２５】第２の実施形態に係るメモリカードの第８の適用例を示すフローチャート。
【図２６】第２の実施形態に係るメモリカードの第８の適用例を示すブロック図。
【図２７】第２の実施形態に係るメモリカードの第９の適用例を示すフローチャート。
【図２８】第２の実施形態に係るメモリカードの第９の適用例を示すブロック図。
【図２９】第２の実施形態に係るメモリカードの第１０の適用例を示すフローチャート。
【図３０】第２の実施形態に係るメモリカードの第１０の適用例を示すブロック図。
【図３１】第２の実施形態に係るメモリカードの第１１の適用例を示すフローチャート。
【図３２】第２の実施形態に係るメモリカードの第１２の適用例を示すフローチャート。
【図３３】第２の実施形態に係るメモリカードの第１３の適用例を示すフローチャート。
【図３４】第２の実施形態に係るメモリカードの第１４の適用例を示すフローチャート。
【図３５】第２の実施形態に係るメモリカードの第１５の適用例を示す図。
【図３６】第２の実施形態に係るメモリカードの第１６の適用例を示すフローチャート。
【発明を実施するための形態】
【００１０】
以下、図面を参照して実施形態について説明する。以下の説明において、略同一の機能
及び構成要素については、同一符号を付し、重複説明は必要な場合にのみ行う。
【００１１】
［第１の実施形態］
本実施形態においては、無線アンテナを備える記憶装置について説明する。記憶装置と
しては、例えば、メモリカード（ＳＤメモリカード又はマルチメディアカードなど）、Ｕ
ＳＢメモリなど、様々な形態を適用可能である。なお、本実施形態に係る記憶装置と同様
の構成は、例えば携帯電話などのような無線通信装置に適用されてもよい。例えば、本実
施形態に係る記憶装置と同様の構成は、情報処理装置のメモリシステムに適用されてもよ
い。メモリシステムは、少なくとも、記憶装置とこの記憶装置を制御するためのコントロ
ーラとを含む。
【００１２】
図１は、本実施形態に係る記憶装置の構成を例示するブロック図である。
【００１３】
記憶装置１は、電気的に接続されたホスト装置２から供給される電力により、ホスト装
置２からのデータＤＡ１を書き込み及び読み出す機能と、無線通信ホスト装置３と電気的
に接続されていなくても無線アンテナ４の電磁誘導によって発生（誘起）する電力により
データＤＡ２を通信する機能とを備える。すなわち、記憶装置１は、例えば、１３．５６
ＭＨＺなどの周波数で近距離無線通信規格（ＮＦＣ：Near  Field  Communication）にそ
った通信を行い、無線通信ホスト装置３に対してデータＤＡ２を送信又は受信する。記憶
装置１は、ホスト装置２から電力の供給を受けなくても動作可能である。
【００１４】
記憶装置１は、例えばＳＤインタフェースにしたがってホスト装置２とデータＤＡ１を
送受信するが、他のインタフェースを用いてもよい。また、記憶装置１は、例えばＮＦＣ
インタフェースにそって無線通信ホスト装置３とデータＤＡ２を送受信するが、他の無線
通信インタフェースを用いてもよい。
【００１５】
本実施形態において、ホスト装置２と無線通信ホスト装置３とは、別構成としているが
、同一構成でもよい。
【００１６】
記憶装置１は、無線アンテナ４と、不揮発性半導体メモリ５と、ＮＦＣコントローラ６
と、メモリコントローラ７と、接続部１３とを備える。ＮＦＣコントローラ６は、記憶部
８と電圧検波器９とを備える。なお、ＮＦＣコントローラ６と記憶部８とは分離した構成
としてもよい。ＮＦＣコントローラ６とメモリコントローラ７とは、１つのコントローラ
で実現されてもよい。
【００１７】
不揮発性半導体メモリ５は、例えばＮＡＮＤ型フラッシュメモリとするが、ＮＯＲ型フ
ラッシュメモリ、ＭＲＡＭ（Magnetoresistive  Random  Access  Memory：磁気抵抗メモ
リ）、ＰＲＡＭ（Phasechange  Random  Access  Memory：相変化メモリ）、ＲｅＲＡＭ
（Resistive  Random  Access  Memory：抵抗変化型メモリ）、ＦｅＲＡＭ（Ferroelectr
ic  Random  Access  Memory）など他の不揮発性半導体メモリでもよい。例えば、不揮発
性半導体メモリ５は、他の不揮発性メモリ、揮発性メモリ、磁気メモリなどに変更されて
もよい。
【００１８】
メモリコントローラ７は、不揮発性半導体メモリ５を制御する。例えば、メモリコントロ
ーラ７は、ホスト装置２から書き込み指示とデータＤＡ１とを受けた場合に、データＤＡ
１を不揮発性半導体メモリ５に書き込む。メモリコントローラ７は、読み出し指示を受け
た場合に、不揮発性半導体メモリからデータＤＡ１を読み出す。メモリコントローラ５は
、ホスト装置２から電力の供給を受け、かつ、無線アンテナ４及びＮＦＣコントローラ６
経由で書き込み指示及びデータＤＡ１を受けた場合に、データＤＡ１を不揮発性半導体メ
モリ５に書き込むとしてもよい。
【００１９】
メモリコントローラ７は、書き込み指示を受けた場合に、記憶部８にデータＤＡ２を書
き込んでもよく、読み出し指示を受けた場合に、記憶部８からデータＤＡ２を読み出して
もよい。
【００２０】
メモリコントローラ７は、読み出し指示を受けた場合に、不揮発性半導体メモリ５から
データＤＡ１を読み出し、ＮＦＣコントローラ６及び無線アンテナ４経由でデータＤＡ１
を出力してもよい。
【００２１】
不揮発性半導体メモリ５及びメモリコントローラ７は、ホスト装置２から供給された電
力により動作する。
【００２２】
無線アンテナ４は、ＮＦＣに対応する所定の周波数又は周波数帯で設定されている。
【００２３】
また、無線アンテナ４は、無線通信ホスト装置３からの電波に基づいて電磁誘導によっ
て電力を発生させる。無線アンテナ４は、発生された電力をＮＦＣコントローラ６に供給
する。また、無線アンテナ４は、無線通信ホスト装置３からのデータを受信し、ＮＦＣコ
ントローラ６に出力する。さらに、無線アンテナ４は、ＮＦＣコントローラ６からのデー
タＤＡ２を、無線通信ホスト装置３に出力する。無線アンテナ４は、例えば、ＰＣＢパタ
ーンアンテナである。
【００２４】
ＮＦＣコントローラ６は、無線通信ホスト装置３からの電波に基づいて電磁誘導によっ
て無線アンテナ４に発生した電力により動作する。ＮＦＣコントローラ６は、動作時に、
又は、無線通信ホスト装置３から無線アンテナ４経由で読み出し指示を受けた場合に、記
憶部８からデータＤＡ２を読み出し、無線アンテナ４を用いてデータＤＡ２を無線通信ホ
スト装置３に出力する。同様に、ＮＦＣコントローラ６は、動作時に、又は、無線アンテ
ナ４を使用して書き込み指示及びデータＤＡ２を受けた場合に、記憶部８にデータＤＡ２
を書き込むとしてもよい。ＮＦＣコントローラ６は、無線アンテナ４を用いる無線通信ホ
スト装置３に対するデータの送信及び受信を制御する。具体的には、ＮＦＣコントローラ
６は、無線アンテナ４経由でＮＦＣに対応する所定の周波数の信号を受信すると、ＮＦＣ
による通信可能となる。
【００２５】
さらに、ＮＦＣコントローラ６は、不揮発性半導体メモリ５に対する書き込み時に、ホ
スト装置２から接続部１３経由で受けた書き込み指示及びデータＤＡ１を、メモリコント
ローラ７へ出力する。ＮＦＣコントローラ６は、ホスト装置２から接続部１３経由で書き
込み指示及びデータＤＡ１を受けた場合に、書き込み指示及びデータＤＡ１をメモリコン
トローラ７に出力し、記憶部８にデータＤＡ２を書き込んでもよい。
【００２６】
また、ＮＦＣコントローラ６は、不揮発性半導体メモリ５に対する読み出し時に、メモ
リコントローラ７から受けたデータＤＡ１を、接続部１３経由でホスト装置２へ出力する
。
【００２７】
ＮＦＣコントローラ６の電圧検波器９は、無線アンテナ４と電気的に接続されており、
無線アンテナ４からＮＦＣコントローラ６に供給される電圧を監視し、ＮＦＣに相当する
所定の電圧になるまでＮＦＣによる通信のリセット信号を出し続ける。これにより、ＮＦ
Ｃによる通信の異常起動・動作を防止することができる。
【００２８】
ＮＦＣコントローラ６は、ホスト装置２から電力供給を受け、かつ、ホスト装置２から
書き込み指示及びデータＤＡ１を受けた場合に、不揮発性半導体メモリ５に対して、ホス
ト装置２から受けたデータＤＡ１を書き込むとしてもよい。ＮＦＣコントローラ６は、ホ
スト装置２から電力の供給を受け、かつ、無線アンテナ４及びＮＦＣコントローラ６経由
でＮＦＣにより書き込み指示及びデータを受けた場合に、不揮発性半導体メモリ５にデー
タを書き込むとしてもよい。
【００２９】
ＮＦＣコントローラ６は、ホスト装置２から電力の供給を受け、かつ、ホスト装置２か
らデータＤＡ２の生成指示を受けた場合に、不揮発性半導体メモリ５に書き込まれている
データＤＡ１を読み出して、データＤＡ２を生成し、データＤＡ２を記憶部８に書き込ん
でもよい。
【００３０】
ＮＦＣコントローラ６は、ホスト装置２から電力の供給を受け、かつ、無線出力指示を
受けた場合に、不揮発性半導体メモリ５に書き込まれているデータＤＡ１の一部又は全部
を読み出し、読み出されたデータを無線アンテナ４経由で無線通信ホスト装置３に出力し
てもよい。
【００３１】
ＮＦＣコントローラ６は、無線アンテナ４を用いて指示データ及び書き込み指示を受け
た場合に、指示データを記憶部８に書き込み、実行指示を受けた場合に記憶部８に書き込
まれている指示データによって指示されている処理を実行してもよい。
【００３２】
記憶部８は、例えば、不揮発性メモリである。記憶部８は、ＮＦＣコントローラ６又は
メモリコントローラ７による制御にしたがってデータＤＡ２を書き込む。なお、記憶部８
におけるデータＤＡ２の保存は、一時的でもよい。記憶部８としては、例えば、ＥＥＰＲ
ＯＭ（Electrically  Erasable  Programmable  Read-Only  Memory）が用いられるが、
上記不揮発性半導体メモリ５と同様に各種のメモリを用いることができる。
【００３３】
データＤＡ２は、例えば、ＮＦＣインタフェースにしたがって無線通信ホスト装置３と
記憶装置１との間で送信及び受信されるデータでもよく、不揮発性半導体メモリ５に書き
込まれるデータＤＡ１の特徴データでもよく、無線通信ホスト装置３から無線アンテナ４
経由でＮＦＣコントローラ６に受信された特徴データでもよく、不揮発性半導体メモリ５
に関する特徴データでもよく、記憶装置１に関する特徴データでもよい。より具体的に説
明すると、特徴データＤＡ２は、例えば、不揮発性半導体メモリ５に書き込まれる画像デ
ータのうちの一部のデータ（例えば、画像データのうちの最初または最後の部分、又は、
画像データのサムネイルデータ）、サムネイルデータ、不揮発性半導体メモリ５に書き込
まれるデータＤＡ１の管理情報、不揮発性半導体メモリ５のメモリ容量、不揮発性半導体
メモリ５の残り容量、不揮発性半導体メモリ５に書き込まれたファイルの名称、データＤ
Ａ１の生成時間、データＤＡ１が画像データの場合は撮影時間データ、不揮発性半導体メ
モリ５に書き込まれているファイル数などとしてもよい。
【００３４】
ＮＦＣコントローラ６及び記憶部８は、無線通信ホスト装置３によって無線アンテナ４
に誘起される電力により動作する。ゆえに、ＮＦＣコントローラ６及び記憶部８は、メモ
リコントローラ７及び不揮発性半導体メモリ５よりも低電力で駆動可能であることが望ま
しい。しかしながら、ＮＦＣコントローラ６及び記憶部８は、記憶装置１がホスト装置２
から電力を供給されている場合に、ホスト装置２から供給された電力により動作してもよ
い。
【００３５】
本実施形態においては、ホスト装置２からの書き込み指示及びデータが、まず、ＮＦＣ
コントローラ６に受けられ、その後、メモリコントローラ７に受けられる。これは、まず
、ＮＦＣコントローラ６が、書き込み指示及びデータをホスト装置２から受けたか、又は
、無線通信ホスト装置３から受けたかを判断し、この判断結果に応じて動作を切り替える
ためである。
【００３６】
接続部１３は、例えば規格化された接続端子であり、ホスト装置２と接続可能である。
【００３７】
以下に、本実施形態に係る記憶装置１の各種の動作を図２〜図１３を用いて説明する。
【００３８】
第１の動作として、図２のブロック図及び図３のフローチャートを用いて、データＤＡ
２がメモリコントローラ７によって自動的に記憶部８に書き込まれる動作例を説明する。
図２及び図３は、記憶装置１がホスト装置２からデータＤＡ１を受信した場合の動作例を
示す。
【００３９】
ステップＡ１において、ＮＦＣコントローラ６は、ホスト装置２から書き込み指示とデ
ータＤＡ１とを受信する。
【００４０】
ステップＡ２において、ＮＦＣコントローラ６は、書き込み指示とデータＤＡ１とをパ
ススルーし、メモリコントローラ７が、書き込み指示とデータＤＡ１とを受ける。
【００４１】
ステップＡ３において、メモリコントローラ７は、不揮発性半導体メモリ５へデータＤ
Ａ１を書き込む。
【００４２】
ステップＡ４において、メモリコントローラ７は、記憶部８へデータＤＡ２を書き込む
。
【００４３】
第２の動作として、図４のブロック図及び図５のフローチャートを用いて、データＤＡ
２がＮＦＣコントローラ６によって自動的に記憶部８に書き込まれる動作例を説明する。
この図４及び図５は、ＮＦＣコントローラ６が記憶部８にデータＤＡ２を書き込む点で、
メモリコントローラ７が記憶部８にデータＤＡ２を書き込む図２及び図３と相違する。
【００４４】
ステップＢ１において、ＮＦＣコントローラ６は、ホスト装置２から書き込み指示とデ
ータＤＡ１とを受信する。
【００４５】
ステップＢ２において、ＮＦＣコントローラ６は、書き込み指示とデータＤＡ１とをメ
モリコントローラ７へパススルーするとともに、記憶部８へデータＤＡ２を書き込む。
【００４６】
ステップＢ３において、メモリコントローラ７は、不揮発性半導体メモリ５へデータＤ
Ａ１を書き込む。
【００４７】
第３の動作として、図６のブロック図及び図７のフローチャートを用いて、記憶装置１
の不揮発性半導体メモリ５からデータＤＡ１を読み出す動作例を説明する。
【００４８】
ステップＣ１において、ＮＦＣコントローラ６は、ホスト装置２から読み出し指示とア
ドレスとを受信する。なお、ＮＦＣコントローラ６は、次のステップで、ホスト装置２か
らの読み出し指示とアドレスとに基づいて、記憶部８のデータを読み出すことも可能であ
る。
【００４９】
ステップＣ２において、ＮＦＣコントローラ６は、読み出し指示とアドレスとをパスス
ルーし、メモリコントローラ７が、読み出し指示とアドレスとを受ける。
【００５０】
ステップＣ３において、メモリコントローラ７は、読み出し指示とアドレスとに基づい
て、不揮発性半導体メモリ５からデータＤＡ１を読み出す。
【００５１】
ステップＣ４において、メモリコントローラ７は、ＮＦＣコントローラ６経由で、デー
タＤＡ１を、ホスト装置２へ送信する。
【００５２】
第４の動作として、図８のブロック図及び図９のフローチャートを用いて、無線通信ホ
スト装置３が記憶部８からデータＤＡ２を読み出す動作例を説明する。
【００５３】
ステップＤ１において、ＮＦＣコントローラ６は、無線通信ホスト装置３からの読み出
し指示を無線アンテナ４経由で受信する。
【００５４】
ステップＤ２において、ＮＦＣコントローラ６は、読み出し指示に基づいて、記憶部８
からデータＤＡ２を読み出す。
【００５５】
ステップＤ３において、ＮＦＣコントローラ６は、データＤＡ２を無線アンテナ４経由
で無線通信ホスト装置３に送信する。
【００５６】
この図８及び図９に示す無線通信ホスト装置３がデータＤＡ２を読み出す動作において
は、ホスト装置２から記憶装置１へ電力が供給されなくてもよい。例えば、データＤＡ２
は、デジタルスティールカメラで撮影され最後に記憶装置１に書き込まれた画像データと
する。無線通信ホスト装置３は、記憶装置１をホスト装置２と接続しなくても、記憶部８
に書き込まれている画像データを記憶装置１から受信することができる。一般的なメモリ
カードにおいては、内部のデータを読み出すために電力を供給する必要があるが、本実施
形態に係る記憶装置１においては、無線通信ホスト装置３に記憶装置１をかざす（近づけ
る）だけで、内部のデータを読み出すことができる。
【００５７】
第５の動作として、図１０のブロック図及び図１１のフローチャートを用いて、記憶装
置１が無線通信ホスト装置３からのデータを記憶部８に書き込む動作例を説明する。
【００５８】
なお、この図１０及び図１１の説明では、記憶部８にどのようなデータＤＡ２を書き込
むかを指示する指示データＤＡ３が、無線通信ホスト装置３から記憶装置１へ送信され、
記憶部８に書き込まれる場合を例として説明する。しかしながら、無線通信ホスト装置３
から記憶装置１へ送信されるデータは、例えば、記憶部８に書き込みたいデータＤＡ２、
セキュリティ関係データなど、他のデータでもよい。この図１０及び図１１の動作は、ホ
スト装置２から電力を供給されなくても実行可能である。
【００５９】
ステップＥ１において、ＮＦＣコントローラ６は、無線通信ホスト装置３から、書き込
み指示と指示データＤＡ３とを無線アンテナ４経由で受信する。
【００６０】
ステップＥ２において、ＮＦＣコントローラ６は、指示データＤＡ３を記憶部８に書き
込む。
【００６１】
その後、ＮＦＣコントローラ６又はメモリコントローラ７は、記憶部８を参照し、指示
データＤＡ３で指示されたデータＤＡ２を、不揮発性半導体メモリ５から読み出し、記憶
部８に書き込む。または、ＮＦＣコントローラ６又はメモリコントローラ７は、ホスト装
置２から受信したデータＤＡ１の中から、指示データＤＡ３で指示されたデータＤＡ２を
選択し、記憶部８に書き込む。
【００６２】
これにより、ユーザは、明示的に、記憶部８に書き込まれるデータＤＡ２を指示するこ
とができる。
【００６３】
例えば、指示データＤＡ３は、記憶部８に書き込まれたデータＤＡ２をプロテクトする
か否かを示すデータを含むとしてもよく、記憶部８に書き込みたいデータＤＡ２のデータ
番号を含むとしてもよい。
【００６４】
第６の動作として、図１２のブロック図及び図１３のフローチャートを用いて、ＮＦＣ
コントローラ６が記憶部８に書き込まれているデータＤＡ２をプロテクトするか否か判断
する動作例を説明する。
【００６５】
ステップＦ１において、ＮＦＣコントローラ６は、ホスト装置２から書き込み指示とデ
ータＤＡ１とを受信する。
【００６６】
ステップＦ２において、ＮＦＣコントローラ６は、記憶部８のデータＤＡ２をプロテク
トする旨の指示データＤＡ３が記憶部８に書き込まれているか否か判断する。
【００６７】
プロテクトする旨の指示データＤＡ３が記憶部８に書き込まれている場合には、処理は
ステップＦ４に移動する。
【００６８】
プロテクトする旨の指示データＤＡ３が記憶部８に書き込まれていない場合には、ステ
ップＦ３において、ＮＦＣコントローラ６は、記憶部８のデータＤＡ２を更新する。
【００６９】
ステップＦ４において、ＮＦＣコントローラ６は、書き込み指示とデータＤＡ１とをメ
モリコントローラ７へパススルーする。
【００７０】
ステップＦ５において、ＮＦＣコントローラ６は、不揮発性半導体メモリ５へデータＤ
Ａ１を書き込む。
【００７１】
この図１２及び図１３の動作を応用することで、例えば、ユーザは、記憶装置１の記憶
部８に、ＮＦＣ経由でユーザのお気に入りの画像データを書き込むとともにプロテクト指
示し、記憶装置１を友人の無線通信ホスト装置３にかざしてこのお気に入りの画像データ
を友人と共有することができる。
【００７２】
以上説明した本実施形態に係る記憶装置１は、メモリカードなどのようなデータ書き込
み及び読み出しの機能を備え、かつ、ＮＦＣ機能を備える。したがって、記憶装置１は、
ホスト装置２から電力が供給されていない状態であっても、無線通信ホスト装置３からデ
ータを受信し、又は、無線通信ホスト装置３へデータを送信することができる。これによ
り、記憶装置１を使用するユーザの利便性を向上させることができる。
【００７３】
本実施形態においては、無線アンテナ４の電磁誘導によって発生する電力により、記憶
部８に記憶されているデータＤＡ２をＮＦＣコントローラ６が送信し、無線通信ホスト装
置３が受信する。これにより、ユーザは、記憶装置１をホスト装置２にセットすることな
く、記憶装置１を無線通信ホスト装置３に近づけるのみで、記憶装置１に関する各種の情
報をチェックすることができる。本実施形態に係る記憶装置１を用いることで、ユーザは
、例えばパーソナルコンピュータなどのようなホスト装置２がない旅先又は出張先のよう
な環境であっても、他人の無線通信ホスト装置３へ好みのデータを渡すことができる。
【００７４】
本実施形態においては、指示データＤＡ３により、記憶装置１に対して、ユーザが記憶
部８に書き込みたいデータＤＡ２を明示的に指示することができ、この指示データＤＡ３
によって指示されたデータＤＡ２を記憶装置１から無線通信ホスト装置３へ送信すること
ができる。
【００７５】
ここで、本実施形態に係る記憶装置１の適用例を簡単に説明する。この適用例の詳細は
、第２の実施形態で説明する。
【００７６】
本実施形態に係る記憶装置１のＮＦＣコントローラ６は、無線通信ホスト装置３から、
不揮発性半導体メモリ５に書き込まれているデータＤＡ１を読み出し禁止又は書き込み禁
止にする旨のデータＤＡ２を受信し、記憶部８に書き込むとしてもよい。また、ＮＦＣコ
ントローラ６は、無線通信ホスト装置３から、読み出し禁止又は書き込み禁止を解除する
旨のデータＤＡ２を受信し、記憶部８に書き込むとしてもよい。これにより、記憶装置１
を無線通信ホスト装置３にかざすだけで、不揮発性半導体メモリ５に書き込まれているデ
ータＤＡ１の読み出し禁止及び許可、書き込み禁止及び許可を容易に切り替えることがで
きる。
【００７７】
本実施形態に係る記憶装置１のＮＦＣコントローラ６は、無線通信ホスト装置３から、
情報通信端末の無線通信サービス、無線ＬＡＮ（Local  Area  Network）を設定するため
のデータＤＡ２を受信し、記憶部８に書き込むとしてもよい。これにより、複雑な設定を
記憶装置１に簡単に書き込むことができ、記憶装置１を情報通信端末にかざすだけで、デ
ータＤＡ２を記憶装置１から情報通信端末へ送信し、データＤＡ２に基づいて情報通信端
末を設定することができる。
【００７８】
本実施形態に係る記憶装置１は、ホスト装置２から電力を供給されている場合に、ＮＦ
Ｃコントローラ６が不揮発性半導体メモリ５からデータＤＡ１を読み出し、このデータＤ
Ａ１を無線アンテナ４経由で無線通信ホスト装置３へ送信してもよい。これにより、ホス
ト装置２に記憶装置１を装着させた状態のままで、無線通信ホスト装置３は記憶装置１の
データをＮＦＣ経由で読み出すことができる。
【００７９】
本実施形態に係る記憶装置１のＮＦＣコントローラ６は、無線通信ホスト装置３から、
圧縮プログラム、各種のファームウェアを受信し、記憶部８に書き込み、実行することが
できる。
【００８０】
本実施形態に係る記憶装置１のＮＦＣコントローラ６は、無線通信ホスト装置３から、
不揮発性半導体メモリ５に書き込まれているデータＤＡ１をアップロードしたいクラウド
サービスのＵＲＬ（Uniform  Resource  Locator）を受信し、このＵＲＬを記憶部８に書
き込むとしてもよい。これにより、無線通信ホスト装置３の一例である携帯電話に記憶装
置１をかざしてＵＲＬを携帯電話に与え、さらに、携帯電話に記憶装置１を装着して不揮
発性半導体メモリ５からデータＤＡ１を読み出し、ＵＲＬの示すサイトへデータＤＡ１を
アップロードすることができる。
【００８１】
本実施形態に係る記憶装置１のＮＦＣコントローラ６は、無線通信ホスト装置３から、
ユーザＩＤ及びパスワードを受信し、記憶部８に書き込むとしてもよい。これにより、例
えば携帯電話に記憶装置１をかざしてユーザＩＤ及びパスワードを携帯電話に与え、ユー
ザＩＤ及びパスワードに基づいて携帯電話を使用可能とすることができる。
【００８２】
［第２の実施形態］
本実施形態においては、上記第１の実施形態に係る記憶装置１の変形例とその適用例に
ついて説明する。なお、本実施形態においては、記憶装置１がメモリカードの場合を例と
して説明するが、上述したように、記憶装置１は、ＵＳＢメモリなど他の形態の半導体記
憶装置又は半導体記憶媒体、又は、メモリシステムでもよい。
【００８３】
図１４は、本実施形態に係るメモリカードの概略構成を例示するブロック図である。
【００８４】
メモリカード１０は、不揮発性半導体メモリ５、無線アンテナ４、コントローラ１１、
接続部１３を備える。コントローラ１１は、ＳＤ処理部１２、ＮＦＣコントローラ６、メ
モリコントローラ７を含む。
【００８５】
ＳＤ処理部１２は、ＳＤ規格にしたがってホスト装置２に対してデータを送信又は受信
する。
【００８６】
図１５は、メモリカード１０の第１の適用例を示す図である。
【００８７】
携帯電話、特にスマートフォンである無線通信ホスト装置３に、メモリカード１０をか
ざすと、メモリカード１０の記憶部８に記憶されているサムネイルデータ、ファイル数、
撮影場所・撮影時間、メモリ残量、ファイル名リストが無線通信ホスト装置３に送信され
る。無線通信ホスト装置３は、サムネイルデータ、ファイル数、撮影場所・撮影時間、メ
モリ残量、ファイル名リストを表示する。ファイル名リストは、画像ファイルのリストで
もよく、文書ファイルのリストでもよい。メモリカード１０は、不揮発性半導体メモリ５
に書き込まれた画像データのうち、最後の数枚（例えば８〜１０枚）のサムネイルデータ
を無線通信ホスト装置３に送信する。また、無線通信ホスト装置３はユーザに生成された
メモデータをメモリカード１０に送信し、メモリカード１０は記憶部８にメモデータを書
き込むこともできる。
【００８８】
図１６は、メモリカード１０の第２の適用例を示す図である。
【００８９】
メモリカード１０を例えば携帯電話などの無線通信ホスト装置３にかざすと、メモリカ
ード１０は、記憶部８に書き込まれている画像データを無線通信ホスト装置３へ送信する
。この第２の適用例において、メモリカード１０は、他の装置から電力供給を受ける必要
はない。画像データは、約３０キロバイト程度の所定のサイズに圧縮されていてもよい。
無線通信ホスト装置３は、メモリカード１０からＮＦＣによって受信した画像データを、
すばやくメールすることができ、簡単にＳＮＳ（social  network  service）にアップす
ることができる。
【００９０】
図１７及び図１８は、メモリカード１０の第３の適用例を示すフローチャート及びブロ
ック図である。
【００９１】
ステップＧ１において、メモリカード１０は、カメラであるホスト装置２によって撮影
された画像データをＳＤ処理部１２、メモリコントローラ７経由で、不揮発性半導体メモ
リ５に書き込む。さらに、メモリカード１０のＮＦＣコントローラ６は、不揮発性半導体
メモリ５に書き込まれた画像データの一部、不揮発性半導体メモリ５のメモリ情報を、メ
モリコントローラ７経由で取得し、記憶部８に書き込む。
【００９２】
例えば携帯電話などのような無線通信ホスト装置３は、ステップＧ２において、アプリ
ケーションを起動し、ステップＧ３において、読み出し指示をメモリカード１０に送信す
る。
【００９３】
ステップＧ４において、メモリカード１０は、コントローラ１１の記憶部８から、デー
タを読み出し、無線通信ホスト装置３へ送信する。
【００９４】
ステップＧ５において、無線通信ホスト装置３は、データを受信し、読み出しを完了し
、読み出したデータを表示する。
【００９５】
これにより、ユーザは、メモリカード１０にどのようなデータが書き込まれているかを
整理、メモリカード１０を無線通信ホスト装置３にかざすだけで容易に確認することがで
きる。
【００９６】
図１９は、メモリカード１０の第４の適用例を示すフローチャートである。
【００９７】
メモリカード１０のコントローラ１１は、特定のアプリケーションの識別データと起動
指示を、予め記憶部８に書き込む。
【００９８】
ステップＨ１において、無線通信ホスト装置３は、読み出し指示をメモリカード１０に
送信する。
【００９９】
ステップＨ２において、メモリカード１０は、コントローラ１１の記憶部８から、アプ
リケーションの識別データ及び起動指示を読み出し、識別データ及び起動指示を無線通信
ホスト装置３に送信する。
【０１００】
ステップＨ３において、無線通信ホスト装置３は、アプリケーションの識別データと起
動指示とを認識し、アプリケーションを起動する。なお、アプリケーションの起動指示は
、手動で行ってもよい。
【０１０１】
これにより、ユーザは、携帯電話などのような無線通信ホスト装置３に、メモリカード
１０をかざすだけで、無線通信ホスト装置３のアプリケーションを起動することができる
。
【０１０２】
図２０及び図２１は、メモリカード１０の第５の適用例を示すフローチャート及びブロ
ック図である。
【０１０３】
無線通信ホスト装置３にメモリカード１０をかざすだけで、メモリカード１０のコント
ローラ１１は、無線通信ホスト装置３からメモデータを受信し、記憶部８に書き込むこと
ができる。メモデータは、例えば、ユーザによって任意に指定されるタイトル、メモなど
を含む。
【０１０４】
ステップＩ１において、無線通信ホスト装置３は、アプリケーションを起動する。
【０１０５】
ステップＩ２において、無線通信ホスト装置３は、アプリケーションより、メモデータ
及び書き込み指示をメモリカード１０に送信する。
【０１０６】
ステップＩ３において、メモリカード１０は、コントローラ１１の記憶部８に、メモデ
ータを書き込む。
【０１０７】
ステップＩ４において、メモリカード１０は、メモデータの書き込みが完了したことを
示すデータ完了ステータスを、無線通信ホスト装置３に送信する。
【０１０８】
ステップＩ５において、無線通信ホスト装置３は、データ完了ステータスを受信し、メ
モデータの書き込みを完了する。
【０１０９】
これにより、ユーザは、メモリカード１０の記憶部８にどのようなデータが書き込まれ
ているかを示すメモデータを、ＮＦＣを使用して容易にメモリカード１０に持たせること
ができる。
【０１１０】
図２２は、メモリカード１０の第６の適用例を示す図である。
【０１１１】
メモリカード１０は、例えばカメラなどのようなホスト装置２に装着されており、ホス
ト装置２から電力供給を受けている。この場合、メモリカード１０のコントローラ１１は
、不揮発性半導体メモリ５からデータを読み出し、このデータを例えば携帯電話又はプリ
ンタなどのような無線通信ホスト装置３へＮＦＣにより送信する。これにより、メモリカ
ード１０から無線通信ホスト装置３へ大容量のデータをＮＦＣにより送信することができ
る。
【０１１２】
図２３及び図２４は、メモリカード１０の第７の適用例を示すフローチャート及びブロ
ック図である。
【０１１３】
メモリカード１０は、例えばカメラなどのようなホスト装置２に装着されており、ホス
ト装置２から電力供給を受けている。
【０１１４】
ステップＪ１において、例えばプリンタなどのような無線通信ホスト装置３は、アプリ
ケーションを起動する。
【０１１５】
ステップＪ２において、無線通信ホスト装置３は、読み出し指示を、メモリカード１０
へ送信する。
【０１１６】
ステップＪ３において、メモリカード１０のコントローラ１１は、不揮発性半導体メモ
リ５からデータを読み出し、読み出されたデータを無線通信ホスト装置３にＮＦＣにより
送信する。
【０１１７】
ステップＪ４において、無線通信ホスト装置３は、データを受信し、読み出しを完了す
る。
【０１１８】
この第７の適用例においては、メモリカード１０と無線通信ホスト装置３との間で大容
量のデータをＮＦＣで送受信することができる。
【０１１９】
図２５及び図２６は、メモリカード１０の第８の適用例を示すフローチャート及びブロ
ック図である。
【０１２０】
メモリカード１０と無線通信ホスト装置３とは連携動作し、画像データを撮影した場所
のマップレビュー表示を実現する。
【０１２１】
メモリカード１０のコントローラ１１は、記憶部８に、アプリケーションの起動指示、
ＧＰＳをオンする指示、位置データのロギング指示を書き込んでいる。
【０１２２】
ステップＫ１において、無線通信ホスト装置３は、撮影開始をメモリカード１０にＮＦ
Ｃにより送信する。
【０１２３】
ステップＫ２において、メモリカード１０は、撮影開始を受信すると、記憶部８に書き
込まれているデータを読み出し、無線通信ホスト装置３にＮＦＣにより送信する。
【０１２４】
ステップＫ３において、無線通信ホスト装置３は、メモリカード１０から受信されたデ
ータに基づいて、アプリケーションを起動し、ＧＰＳをオンし、位置データのロギングを
開始し、ＧＰＳの位置データと時間とを関連付けて記憶する。
【０１２５】
なお、アプリケーションの起動、ＧＰＳのオン、位置データのロギング開始は、手動で
指示されてもよい。
【０１２６】
ステップＫ４において、メモリカード１０は、画像撮影が行われると、この画像データ
を不揮発性半導体メモリ５に書き込み、撮影時間データをコントローラ６の記憶部８に書
き込む。
【０１２７】
ステップＫ５において、無線通信ホスト装置３は、マップビュー表示開始の指示を、メ
モリカード１０にＮＦＣにより送信する。
【０１２８】
ステップＫ６において、メモリカード１０は、コントローラ１１の記憶部８から撮影時
間データを読み出し、無線通信ホスト装置３にＮＦＣにより送信する。
【０１２９】
ステップＫ７において、メモリカード１０は、無線通信ホスト装置３から撮影時間デー
タを受信し、撮影時間データの示す時間に最も近い時間に対応する位置データを地図上に
表示する。これにより、地図上に撮影時間データと位置データとを紐付けた結果を表示す
ることができる。
【０１３０】
ステップＫ８において、無線通信ホスト装置３は、処理を終了するか否か判断し、処理
を終了しない場合には、ステップＫ４に移動する。
【０１３１】
処理を終了する場合には、無線通信ホスト装置３は、アプリケーションを終了し、ＧＰ
Ｓをオフし、位置データのロギングを停止する。なお、無線通信ホスト装置３は、処理終
了をＮＦＣによりメモリカード１０に送信してもよい。
【０１３２】
これにより、例えばカメラなどであり、ＧＰＳ（Global  Positioning  System）機能
を備えないホスト装置２に、メモリカード１０が装着されて使用された場合であっても、
ユーザは、無線通信ホスト装置３で撮影場所のマップレビュー表示を見ることができる。
【０１３３】
図２７及び図２８は、メモリカード１０の第９の適用例を示すフローチャート及びブロ
ック図である。
【０１３４】
メモリカード１０と例えば携帯電話などの無線通信ホスト装置３とは連携動作し、無線
通信ホスト装置３は、カレンダーに撮影イベントを追加して表示する。
【０１３５】
ステップＬ１において、メモリカード１０は、画像データを不揮発性半導体メモリ５に
書き込み、撮影時間データとサムネイルデータとを含むデータを記憶部８に書き込む。サ
ムネイルデータは、全画像、一日当たりで１枚又は複数枚、最後の１枚又は最後の複数枚
に対応する画像データとしてもよい。サムネイルデータは、撮影されるたびに、記憶部８
に書き込まれるとしてもよい。
【０１３６】
ステップＬ２において、無線通信ホスト装置３は、アプリケーションを起動する。なお
、アプリケーションは、メモリカード１０を無線通信ホスト装置３にかざすことで起動さ
れてもよい。
【０１３７】
ステップＬ３において、無線通信ホスト装置３は、読み出し済みのサムネイルデータを
カレンダーに表示する。
【０１３８】
ステップＬ４において、無線通信ホスト装置３は、新規のデータ読み出し指示をメモリ
カード１０へ送信する。
【０１３９】
ステップＬ５において、メモリカード１０は、記憶部８に書き込まれているデータを読
み出し、無線通信ホスト装置３にＮＦＣにより送信する。
【０１４０】
ステップＬ６において、無線通信ホスト装置３は、メモリカード１０からのデータに基
づいて、最新の撮影時間データの示すカレンダーの日時に、最新のサムネイルデータを表
示する。
【０１４１】
これにより、メモリカード１０を無線通信ホスト装置３にかざすのみで、無線通信ホス
ト装置３は、撮影日に対応するカレンダーの位置に、メモリカード１０に書き込まれてい
る画像データを張り付けることができる。
【０１４２】
図２９及び図３０は、メモリカード１０の第１０の適用例を示すフローチャート及びブ
ロック図である。
【０１４３】
この第１０の適用例においては、メモリカード１０が、無線通信ホスト装置３へ無線Ｌ
ＡＮの設定データをＮＦＣにより送信し、無線通信ホスト装置３は、この設定データに基
づいて無線ＬＡＮを設定する。
【０１４４】
メモリカード１０の記憶部８には、例えばＷｉ−Ｆｉ（Wireless  Fidelity）などのよ
うな無線ＬＡＮ設定データ、アクセスポイント（SSID）、パスワードを含む設定データが
書き込まれている。
【０１４５】
ステップＭ１において、無線通信ホスト装置３は、アプリケーションを起動する。
【０１４６】
ステップＭ２において、無線通信ホスト装置３は、読み出し指示をメモリカード１０へ
ＮＦＣにより送信する。
【０１４７】
ステップＭ３において、メモリカード１０は、読み出し指示に応じて、記憶部８に書き
込まれている設定データを読み出す。
【０１４８】
ステップＭ４において、メモリカード１０は、設定データを無線通信ホスト装置３にＮ
ＦＣにより送信する。
【０１４９】
ステップＭ５において、無線通信ホスト装置３は、メモリカード１０から設定データを
受信して読み出しを完了し、設定データに基づいて無線ＬＡＮの設定を行う。
【０１５０】
これにより、無線通信ホスト装置３は、メモリカード１０をかざすのみで、無線ＬＡＮ
の設定をすることができ、特定のアクセスポイントへ接続可能となる。
【０１５１】
図３１は、メモリカード１０の第１１の適用例を示すフローチャートである。この第１
１の適用例では、例えばパーソナルコンピュータなどのようなホスト装置２がクラウドサ
ービスを提供するサーバにデータをアップロードし、例えば携帯電話などのような無線通
信ホスト装置３がサーバのデータをアクセスする。
【０１５２】
ステップＮ１において、ホスト装置２は、読み出し指示をメモリカード１０に送信する
。
【０１５３】
ステップＮ２において、メモリカード１０は、読み出し指示に応じて、不揮発性半導体
メモリ５からデータを読み出し、読み出されたデータをホスト装置２に送信する。
【０１５４】
ステップＮ３において、ホスト装置２は、データを受信し、クラウドサービスを提供す
るサーバにアップロードする。
【０１５５】
ステップＮ４において、ホスト装置２は、書き込み指示と、ＵＲＬ、アクセスポイント
、パスワードなどを含むアクセス先データとを、メモリカード１０に送信する。
【０１５６】
ステップＮ５において、メモリカード１０は、記憶部８に、アクセス先データを書き込
み、書き込み完了をホスト装置２に送信する。
【０１５７】
ステップＮ６において、メモリカード１０は、書き込み完了をホスト装置２から受信し
、処理を終了する。
【０１５８】
ステップＮ７において、無線通信ホスト装置３は、アプリケーションを起動する。
【０１５９】
ステップＮ８において、無線通信ホスト装置３は、アクセス先データの読み出し指示を
メモリカード１０にＮＦＣにより送信する。
【０１６０】
ステップＮ９において、メモリカード１０は、記憶部８から、アクセス先データを読み
出し、無線通信ホスト装置３へＮＦＣにより送信する。
【０１６１】
ステップＮ１０において、無線通信ホスト装置３は、アクセス先データに基づいて、サ
ーバによって提供されるクラウドサービスをアクセスする。
【０１６２】
これにより、ユーザは、メモリカード１０を無線通信ホスト装置３にかざすことにより
、無線通信ホスト装置３でクラウドサービスを容易に利用し、アップロードしたデータを
閲覧することができる。
【０１６３】
図３２は、メモリカード１０の第１２の適用例を示すフローチャートである。この図３
２は、メモリカード１０のセキュリティを解除する。
【０１６４】
ステップＯ１において、無線通信ホスト装置３は、アプリケーションを起動する。
【０１６５】
ステップＯ２において、無線通信ホスト装置３は、セキュリティ解除指示をメモリカー
ド１０へＮＦＣにより送信する。
【０１６６】
ステップＯ３において、メモリカード１０は、コントローラ１１の記憶部８のセキュリ
ティフラグをオフにする。
【０１６７】
ステップＯ４において、メモリカード１０は、セキュリティフラグのオフが完了したこ
とを示すデータ完了ステータスを、無線通信ホスト装置３に送信する。
【０１６８】
ステップＯ５において、無線通信ホスト装置３は、メモリカード１０からデータ完了ス
テータスを受信し、セキュリティ解除を完了する。
【０１６９】
ステップＯ６において、ホスト装置２は、読み出し指示をメモリカード１０に送信する
。
【０１７０】
ステップＯ７において、メモリカード１０は、コントローラ１１の記憶部８に書き込ま
れているセキュリティフラグがオフか否か判断する。
【０１７１】
セキュリティフラグがオフの場合、ステップＯ８において、メモリカード１０は、不揮
発性半導体メモリ５からデータを読み出し、データをホスト装置２に送信する。
【０１７２】
セキュリティフラグがオフでない場合、ステップＯ９において、メモリカード１０は、
セキュリティがロックされていることを示すセキュリティロック中ステータスを、ホスト
装置２に送信する。
【０１７３】
ステップＯ１０において、ホスト装置２は、データ又はセキュリティロック中ステータ
スを受信し、読み出しを完了する。
【０１７４】
これにより、ユーザは、メモリカード１０を無線通信ホスト装置３にかざすのみで、メ
モリカード１０のセキュリティを容易に解除することができる。
【０１７５】
図３３は、メモリカード１０の第１３の適用例を示すフローチャートである。この図３
３では、メモリカード１０のセキュリティをオンする。
【０１７６】
ステップＰ１において、無線通信ホスト装置３は、アプリケーションを起動する。
【０１７７】
ステップＰ２において、無線通信ホスト装置３は、セキュリティオン指示をメモリカー
ド１０へＮＦＣにより送信する。
【０１７８】
ステップＰ３において、メモリカード１０は、コントローラ１１の記憶部８のセキュリ
ティフラグをオンにする。
【０１７９】
ステップＰ４において、メモリカード１０は、セキュリティフラグのオンが完了したこ
とを示すデータ完了ステータスを、無線通信ホスト装置３にＮＦＣにより送信する。
【０１８０】
ステップＰ５において、無線通信ホスト装置３は、メモリカード１０からデータ完了ス
テータスを受信し、セキュリティオンを完了する。
【０１８１】
ステップＰ６からＰ１０は、上記図３２のステップＯ６からＯ１０と同じである。
【０１８２】
これにより、ユーザは、メモリカード１０を無線通信ホスト装置３にかざすのみで、メ
モリカード１０のセキュリティを容易にオンすることができる。
【０１８３】
なお、上記の図３２及び図３３では、ホスト装置２からのメモリカード１０への読み出
しについて説明しているが、無線通信ホスト装置３からのメモリカード１０への読み出し
についても同様に制限及び解除することができる。
【０１８４】
さらに、メモリカード１０に対する読み出しのみではなく、メモリカード１０に対する
書き込みについても、同様に、制限及び解除してもよい。
【０１８５】
図３４は、メモリカード１０の第１４の適用例を示すフローチャートである。
【０１８６】
この第１４の適用例では、ホスト装置２が電気メータであるとする。
【０１８７】
ステップＱ１において、ホスト装置２は、電気メータの観測データと書き込み指示とを
、メモリカード１０に送信する。
【０１８８】
ステップＱ２において、メモリカード１０は、全ての観測データを不揮発性半導体メモ
リ５に書き込む。
【０１８９】
ステップＱ３において、メモリカード１０は、全観測データのうち必要なデータを判断
する。必要なデータとは、例えば、所定期間内のデータ、当月のデータ、１日当たりの電
力使用量などとしてもよい。必要なデータは、上述された指示データによって指示されて
もよい。
【０１９０】
ステップＱ４において、メモリカード１０は、必要なデータを記憶部８に書き込む。
【０１９１】
ステップＱ５において、例えば携帯電話などのような無線通信ホスト装置３は、必要な
データの読み出し指示を、メモリカード１０にＮＦＣにより送信する。
【０１９２】
ステップＱ６において、メモリカード１０は、読み出し指示に基づいて、記憶部８から
必要なデータを読み出し、無線通信ホスト装置３へＮＦＣにより送信する。
【０１９３】
ステップＱ７において、無線通信ホスト装置３は、必要なデータを受信し、処理を完了
する。
【０１９４】
この第１４の適用例において、ホスト装置２は、自動的にメモリカード１０に観測デー
タを書き込む。この第１４の適用例においては、ネットワーク環境を設けることなく、ユ
ーザがエネルギー使用量などの観測データを確認することができる。この第１４の適用例
においては、例えば携帯電話などのような無線通信ホスト装置３を、ホスト装置２に装着
されているメモリカード１０にかざすのみで、無線通信ホスト装置３で簡単に必要なデー
タを収集することができる。このメモリカード１０をホスト装置２に装着し、無線通信ホ
スト装置３で必要なデータを収集及び確認することにより、省電力化を実現することがで
きる。
【０１９５】
図３５は、メモリカード１０の第１５の適用例を示す図である。
【０１９６】
教育機関は、メモリカード１０に教材データを書き込み、配布することができる。さら
に、メモリカード１０の記憶部８に生徒ＩＤを書き込み、出欠確認のためのリーダである
無線通信ホスト装置３にメモリカード１０をかざすことで、出欠記録を実現することがで
きる。メモリカード１０の記憶部８には、模範解答データなどが書き込まれてもよい。メ
モリカード１０の記憶部８には、テスト結果データが書き込まれてもよい。生徒は、無線
通信ホスト装置３として自分の携帯電話をメモリカード１０にかざすことで、テスト結果
を確認することができ、携帯電話のアプリケーションを使って弱点分析、傾向分析を行う
ことができる。これにより、教育機関においてメモリカード１０の利便性を向上させるこ
とができる。
【０１９７】
図３６は、メモリカード１０の第１６の適用例を示すフローチャートである。
【０１９８】
この第１６の適用例では、ホスト装置２がゲーム機であり、無線通信ホスト装置３がゲ
ーム機であり、メモリカード１０を経由して、２つのゲーム機の間でデータを送受信する
。ゲーム機の間で送受信されるデータとしては、例えばキャラクターＩＤ、ゲームセーブ
データなどがある。
【０１９９】
ステップＲ１において、無線通信ホスト装置３は、データと書き込み指示をメモリカー
ド１０にＮＦＣにより送信する。
【０２００】
ステップＲ２において、メモリカード１０は、コントローラ１１の記憶部８に、データ
を書き込み、書き込み完了を無線通信ホスト装置３に送信する。
【０２０１】
ステップＲ３において、無線通信ホスト装置３は、書き込み完了を受信する。
【０２０２】
ステップＲ４において、ホスト装置２は、読み出し指示をメモリカード１０に送信する
。
【０２０３】
ステップＲ５において、メモリカード１０は、コントローラ１１の記憶部８からデータ
を読み出し、データをホスト装置２に送信する。
【０２０４】
ステップＲ６において、ホスト装置２は、データを受信し、読み出しを完了する。
【０２０５】
ステップＲ７において、ホスト装置２は、データと書き込み指示をメモリカード１０に
送信する。
【０２０６】
ステップＲ８において、メモリカード１０は、コントローラ１１の記憶部８に、データ
を書き込み、書き込み完了をホスト装置２に送信する。
【０２０７】
ステップＲ９において、ホスト装置２は、書き込み完了を受信する。
【０２０８】
ステップＲ１０において、無線通信ホスト装置３は、読み出し指示をメモリカード１０
に送信する。
【０２０９】
ステップＲ１１において、メモリカード１０は、コントローラ１１の記憶部８からデー
タを読み出し、データを無線通信ホスト装置３に送信する。
【０２１０】
ステップＲ１２において、無線通信ホスト装置３は、データを受信し、読み出しを完了
する。
【０２１１】
この第１６の適用例により、メモリカード１０を用いることで、ゲーム機の間で容易に
データを送受信することができる。
【０２１２】
以上説明したように、本実施形態に係るメモリカード１０は、様々な利用形態で用いる
ことができ、無線通信ホスト装置３からＮＦＣによりデータを読み出し可能とすることで
、ユーザの利便性を向上させることができる。
【０２１３】
例えば、通常のメモリカードに保存された撮影データをホスト装置（例えばパーソナル
コンピュータ）を用いて管理するために、ユーザは、メモリカードの撮影データをホスト
装置の記憶装置（例えばハードディスク）にコピーする場合がある。この場合、ホスト装
置の記憶装置における容量不足を解消するために、ユーザはホスト装置の記憶装置から撮
影データを消去する作業を行う必要がある。また、ユーザは、ホスト装置の交換時に、デ
ータを移動する必要があり、労力がかかる。撮影データの画素数が増加するほど、撮影デ
ータの記憶容量も増加する。ホスト装置がタブレット型コンピュータの場合には、撮影デ
ータの保存場所の確保が困難な場合もある。
【０２１４】
これに対して、本実施形態に係るメモリカード１０を用いた場合には、無線通信ホスト
装置３にメモリカード１０を接近させることで、ユーザは、メモリカード１０の記憶内容
を無線通信ホスト装置３を用いて容易に確認することができ、撮影データをメモリカード
１０に記憶したままで容易に管理することができる。これにより、ユーザの管理労力を軽
減することができる。例えば、ユーザは、撮影データを無線通信ホスト装置３から消去す
る作業労力を軽減することができ、無線通信ホスト装置３に備えられている記憶装置にお
ける記憶容量の増加を防止することができる。また、本実施形態では、無線通信ホスト装
置３がタブレット型コンピュータの場合に、撮影データの保存のために大きな記憶領域が
必要となることを防止することができる。
【０２１５】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【０２１６】
１…半導体記憶装置、２…ホスト装置、３…無線通信ホスト装置、４…無線アンテナ、
５…不揮発性半導体メモリ、６…ＮＦＣコントローラ、７…メモリコントローラ、８…記
憶部、９…電圧検波器、１０…メモリカード、１１…コントローラ、１２…ＳＤ処理部、
１３…接続部。
【図１】
2018067355.tif 000003
【図２】
2018067355.tif 000004
【図３】
2018067355.tif 000005
【図４】
2018067355.tif 000006
【図５】
2018067355.tif 000007
【図６】
2018067355.tif 000008
【図７】
2018067355.tif 000009
【図８】
2018067355.tif 000010
【図９】
2018067355.tif 000011
【図１０】
2018067355.tif 000012
【図１１】
2018067355.tif 000013
【図１２】
2018067355.tif 000014
【図１３】
2018067355.tif 000015
【図１４】
2018067355.tif 000016
【図１５】
2018067355.tif 000017
【図１６】
2018067355.tif 000018
【図１７】
2018067355.tif 000019
【図１８】
2018067355.tif 000020
【図１９】
2018067355.tif 000021
【図２０】
2018067355.tif 000022
【図２１】
2018067355.tif 000023
【図２２】
2018067355.tif 000024
【図２３】
2018067355.tif 000025
【図２４】
2018067355.tif 000026
【図２５】
2018067355.tif 000027
【図２６】
2018067355.tif 000028
【図２７】
2018067355.tif 000029
【図２８】
2018067355.tif 000030
【図２９】
2018067355.tif 000031
【図３０】
2018067355.tif 000032
【図３１】
2018067355.tif 000033
【図３２】
2018067355.tif 000034
【図３３】
2018067355.tif 000035
【図３４】
2018067355.tif 000036
【図３５】
2018067355.tif 000037
【図３６】
2018067355.tif 000038